(57)【特許請求の範囲】
【請求項１】
無線アクセスシステムにおいて、端末がサービング基地局から周辺基地局の情報を受信する方法であって、前記方法は、
前記サービング基地局の第１の領域から第１のメッセージが放送される時点を指示する第１の時点情報を含む第２のメッセージを、前記サービング基地局の第２の領域を通して受信することと、
前記第１の時点情報を用いて前記第１のメッセージを前記サービング基地局の第１の領域から受信することと、
前記第１のメッセージが、少なくともレガシーシステムのみを支援する周辺レガシー基地局、または、混合モードで動作する周辺改良基地局の前記第１の領域のシステム情報を含むことと、
前記第１のメッセージに含まれる前記システム情報を用いることによって、前記少なくとも周辺レガシー基地局、または、前記周辺改良基地局の前記第１の領域のうちの１つにハンドオーバーを実行することと
を含む、方法。
【請求項２】
前記第１の時点情報は、
前記第１のメッセージが前記第１の領域から放送される時点を、前記第２のメッセージが受信される時点からのオフセット（ｏｆｆｓｅｔ）を用いて表したオフセット情報、または、
前記第１のメッセージが前記第１の領域から放送されるインターバル（ｉｎｔｅｒｖａｌ）における間隔を指示するインターバル情報
を少なくとも含む、請求項１に記載の方法。
【請求項３】
前記オフセット情報及び前記インターバル情報は、フレーム単位に決定される、請求項２に記載の方法。
【請求項４】
前記第１の時点情報によって指示されるフレームで前記第１の領域のシステム情報を受信することをさらに含む、請求項３に記載の方法。
【請求項５】
前記第１のメッセージは、前記第１の領域のシステム情報が伝送される時点を指示する第２の時点情報をさらに含み、
前記方法は、前記第２の時点情報を用いて前記第１の領域のシステム情報を受信することをさらに含む、請求項３に記載の方法。
【請求項６】
前記第１の領域は、前記レガシーシステムを支援するＬ領域（ＬＺｏｎｅ）であり、
前記第２の領域は、改良システムを支援するＭ領域（ＭＺｏｎｅ）である、請求項１に記載の方法。
【請求項７】
前記第１のメッセージは、隣公示（ＭＯＢ＿ＮＢＲ−ＡＤＶ）メッセージであり、
前記第２のメッセージは、改良隣公示（ＡＡＩ＿ＮＢＲ−ＡＤＶ）メッセージである、請求項１に記載の方法。
【請求項８】
移動通信システムにおいてサービング基地局から周辺基地局の情報を受信する端末装置であって、前記端末装置は、
プロセッサと、
前記プロセッサの制御の下で、前記サービング基地局に無線信号を送信し、前記サービング基地局から無線信号を受信する無線通信（ＲＦ）モジュールと、
を含み、
前記サービング基地局の第１の領域を通して放送される第１のメッセージを受信する時点を指示する時点情報を含む第２のメッセージが、前記サービング基地局の第２の領域から受信されると、前記プロセッサは、前記時点情報を用いて前記サービング基地局の第１の領域を通して前記第１のメッセージを受信する制御動作を実行し、
前記第１のメッセージは、少なくとも、レガシーシステムのみを支援する周辺レガシー基地局、または、混合モードで動作する周辺改良基地局の前記第１の領域のシステム情報を含み、
前記プロセッサは、前記第１のメッセージに含まれるシステム情報を用いることによって、前記少なくとも、周辺レガシー基地局、または、前記周辺改良基地局の前記第１領域のうちの１つにハンドオーバーを実行する、端末装置。
【請求項９】
前記時点情報は、
前記第１のメッセージが前記第１の領域から放送される時点を、前記第２のメッセージが受信される時点からのオフセット（ｏｆｆｓｅｔ）を用いて指示するオフセット情報、または、
前記第１のメッセージが前記第１の領域から放送されるインターバル（ｉｎｔｅｒｖａｌ）における間隔を指示するインターバル情報
を少なくとも含む、請求項８に記載の端末装置。
【請求項１０】
前記オフセット情報及び前記インターバル情報は、フレーム単位に決定される、請求項９に記載の端末装置。
【請求項１１】
前記プロセッサは、前記時点情報によって指示されるフレームで前記第１の領域のシステム情報を受信する制御動作を実行する、請求項１０に記載の端末装置。
【請求項１２】
前記第１のメッセージは、前記第１の領域のシステム情報が送信される時点を指示する第２の時点情報をさらに含み、
前記プロセッサは、前記第２の時点情報を用いて前記第１の領域のシステム情報を受信する制御動作を実行する、請求項１０に記載の端末装置。
【請求項１３】
前記第１の領域は、前記レガシーシステムを支援するＬ領域（ＬＺｏｎｅ）であり、
前記第２の領域は、前記改良システムを支援するＭ領域（ＭＺｏｎｅ）である、請求項８に記載の端末装置。
【請求項１４】
前記第１のメッセージは、隣公示（ＭＯＢ＿ＮＢＲ−ＡＤＶ）メッセージであり、
前記第２のメッセージは、改良隣公示（ＡＡＩ＿ＮＢＲ−ＡＤＶ）メッセージである、請求項１３に記載の端末装置。
【請求項１５】
無線アクセスシステムにおいて、混合モードで動作して周辺基地局情報を送信する基地局のための方法であって、前記方法は、
前記基地局の第１の領域から第１のメッセージが放送される時点を指示する第１の時点情報を含む第２のメッセージを、前記基地局の第２の領域を通して放送することと、
前記第１の時点情報に従って、前記基地局の第１の領域から前記第１のメッセージを放送することと  
を含み、前記第１のメッセージは、少なくとも、レガシーシステムのみをサポートする周辺レガシー基地局、または、前記混合モードで動作する周辺改良基地局の第１の領域のシステム情報を含む、方法。
【請求項１６】
前記第１の時点情報は、
前記第２のメッセージが受信された時点からのオフセット用いて、前記第１の領域から前記第１のメッセージが放送される時点を指示するオフセット情報、または、
前記第１のメッセージが前記第１の領域から放送されるインターバルにおける間隔を指示するインターバル情報
を少なくとも含む、請求項１５の方法。
【請求項１７】
前記オフセット情報および前記インターバル情報は、フレーム単位で決定される、請求項１６の方法。
【請求項１８】
前記第１の領域のシステム情報を前記第１の時点情報によって指示されるフレームで放送することをさらに含む、請求項１７の方法。
【請求項１９】
前記第１のメッセージは、前記第１の領域のシステム情報が放送される時点を指示する第２の時点情報をさらに含み、
前記方法は、前記第２の時点情報に従って前記第１の領域のシステム情報を放送することをさらに含む、請求項１７の方法。
【請求項２０】
前記第１のメッセージは、隣公示（ＭＯＢ＿ＮＢＲ−ＡＤＶ）メッセージであり、
前記第２のメッセージは、改良隣公示（ＡＡＩ＿ＮＢＲ−ＡＤＶ）メッセージである、請求項１５の方法。
【発明の詳細な説明】
【技術分野】
【０００１】
本発明は、広帯域無線接続システムに係り、特に、レガシーシステム及び改良システムが共存する移動通信システムにおいて改良端末が周辺レガシー基地局の情報を效率的に獲得する方法に関するものである。
【背景技術】
【０００２】
ハンドオーバー（Ｈａｎｄｏｖｅｒ、ＨＯ）とは、端末が、ある基地局の無線インターフェースから他の基地局の無線インターフェースに移動することをいう。以下では、一般的なＩＥＥＥ  ８０２．１６ｅシステムにおけるハンドオーバー手順について説明する。
【０００３】
ＩＥＥＥ  ８０２．１６ｅネットワークにおいて、サービング基地局（ＳＢＳ：Ｓｅｒｖｉｎｇ  Ｂａｓｅ  Ｓｔａｔｉｏｎ）は、移動端末（ＭＳ：Ｍｏｂｉｌｅ  Ｓｔａｔｉｏｎ、以下、「端末」と称する。）に基本的なネットワーク構成に関する情報（トポロジー）を知らせるために、隣接基地局情報を隣公示（ＭＯＢ＿ＮＢＲ−ＡＤＶ）メッセージを通じてブロードキャスト（ｂｒｏａｄｃａｓｔ）することができる。
【０００４】
ＭＯＢ＿ＮＢＲ−ＡＤＶメッセージには、サービング基地局及び隣接基地局に関するシステム情報、例えば、プリアンブルインデックス（ｐｒｅａｍｂｌｅ  ｉｎｄｅｘ）、周波数（ｆｒｅｑｕｅｎｃｙ）、ハンドオーバー最適化（ＨＯ  ｏｐｔｉｍｉｚａｔｉｏｎ）可能程度、及びＤＣＤ（Ｄｏｗｎｌｉｎｋ  Ｃｈａｎｎｅｌ  Ｄｅｓｃｒｉｐｔｏｒ）／ＵＣＤ（Ｕｐｌｉｎｋ  Ｃｈａｎｎｅｌ  Ｄｅｓｃｒｉｐｔｏｒ）情報などを含んでいる。
【０００５】
ＤＣＤ／ＵＣＤ情報は、端末でダウンリンク及びアップリンクを通じた情報授受を行うために端末が知っていなければならない情報を含んでいる。例えば、ハンドオーバートリガー（ＨＯ  ｔｒｉｇｇｅｒ）情報、基地局のＭＡＣバージョン（Ｍｅｄｉｕｍ  Ａｃｃｅｓｓ  Ｃｏｎｔｒｏｌ  ｖｅｒｓｉｏｎ）及びＭＩＨ能力（Ｍｅｄｉａ  Ｉｎｄｅｐｅｎｄｅｎｔ  Ｈａｎｄｏｖｅｒ  ｃａｐａｂｉｌｉｔｙ）のような情報がある。
【０００６】
一般的なＭＯＢ＿ＮＢＲ−ＡＤＶメッセージは、ＩＥＥＥ  ８０２．１６ｅ類型の隣接基地局に関する情報のみを含んでいる。そのため、ＩＥＥＥ  ８０２．１６ｅ類型以外の隣接基地局情報は、ＳＩＩ−ＡＤＶ（Ｓｅｒｖｉｃｅ  Ｉｄｅｎｔｉｔｙ  Ｉｎｆｏｒｍａｔｉｏｎ  ＡＤＶｅｒｔｉｓｅｍｅｎｔ）メッセージを通じて端末にブロードキャストできる。したがって、端末は、ＳＩＩ−ＡＤＶメッセージを伝送するようにサービング基地局に要請することで、異種基地局に関する情報を獲得することができる。
【０００７】
上記の方法により隣接基地局の情報を獲得した端末が、ＩＥＥＥ  ８０２．１６ｅネットワークでハンドオーバーを行う手順をより詳細に説明する。
【０００８】
一般的なＩＥＥＥ  ８０２．１６ｅネットワークにおけるハンドオーバー手順は、主として、３つの手順、すなわち、ハンドオーバー初期化及び準備（ＨＯ  ｉｎｉｔｉａｔｉｏｎ  ＆  ｐｒｅｐａｒａｔｉｏｎ）、ハンドオーバー実行（ＨＯ  ｅｘｅｃｕｔｉｏｎ）及びハンドオーバー完了（ＨＯ  ｃｏｍｐｌｅｔｉｏｎ）で構成することができる。
【０００９】
このように構成可能な基本的なハンドオーバー手順の一例を、図１を参照して説明する。
【００１０】
図１は、ＩＥＥＥ  ８０２．１６ｅシステムで行なわれるハンドオーバー手順の一例を示している。
【００１１】
図１を参照すると、まず、端末（ＭＳ）は、サービング基地局（ＳＢＳ）に接続して、データ交換を行うことができる（Ｓ１０１）。
【００１２】
サービング基地局は、自身に属している隣接基地局に関する情報を、周期的に、ＭＯＢ＿ＮＢＲ−ＡＤＶメッセージを通じて端末にブロードキャストすることができる（Ｓ１０２）。
【００１３】
端末は、サービング基地局と交信をする途中、ハンドオーバートリガー（ＨＯ  ｔｒｉｇｇｅｒ）条件を用いて候補基地局（ｃａｎｄｉｄａｔｅ  ＨＯ  ＢＳ）に対するスキャンを開始することができる。端末は、ハンドオーバー条件、例えば、所定の履歴マージン（Ｈｙｓｔｅｒｅｓｉｓ  ｍａｒｇｉｎ）値を超えると、ハンドオーバー要請（ＭＯＢ＿ＭＳＨＯ−ＲＥＱ）メッセージを伝送して、サービング基地局にハンドオーバー手順を行うことを要請することができる（Ｓ１０３）。
【００１４】
サービング基地局は、ＭＯＢ＿ＭＳＨＯ−ＲＥＱメッセージに含まれている候補基地局（ｃａｎｄｉｄａｔｅ  ＨＯ  ＢＳ）に、ＨＯ−ＲＥＱメッセージを通じて端末のハンドオーバー要請を知らせることができる（Ｓ１０４）。
【００１５】
候補基地局（Ｃａｎｄｉｄａｔｅ  ＨＯ  ＢＳ）は、ハンドオーバーを要請した端末のための事前措置を行って、ハンドオーバーに関連する情報を、ＨＯ−ＲＳＰメッセージを通じてサービング基地局に伝達することができる（Ｓ１０５）。
【００１６】
サービング基地局は、候補基地局からＨＯ−ＲＳＰメッセージを通じて獲得したハンドオーバーに関連する情報を、ハンドオーバー応答（ＭＯＢ＿ＢＳＨＯ−ＲＳＰ）メッセージを通じて端末に伝達できる。ここで、ＭＯＢ＿ＢＳＨＯ−ＲＳＰメッセージは、ハンドオーバーのための動作時間（Ａｃｔｉｏｎ  Ｔｉｍｅ）、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などのハンドオーバーを行うための情報を含むことができる（Ｓ１０６）。
【００１７】
端末は、サービング基地局から受信したＭＯＢ＿ＢＳＨＯ−ＲＳＰメッセージに含まれている情報に基づき、候補基地局から一つのターゲット基地局を決定することができる。そのため、端末は、決定されたターゲット基地局にＣＤＭＡコードを伝送してレンジングを試みることができる（Ｓ１０７）。
【００１８】
ＣＤＭＡコードを受信したターゲット基地局は、レンジング応答（ＲＮＧ−ＲＳＰ）メッセージを通じて、レンジングに成功したか否か及び物理補正値を端末に伝送することができる（Ｓ１０８）。
【００１９】
次に、端末は、認証のためのレンジング要請（ＲＮＧ−ＲＥＱ）メッセージをターゲット基地局に伝送できる（Ｓ１０９）。
【００２０】
端末のレンジング要請メッセージを受信したターゲット基地局は、端末に、ＣＩＤ（Ｃｏｎｎｅｃｔｉｏｎ  ＩＤｅｎｔｉｆｉｅｒ）のような該当の基地局で使用可能なシステム情報などを、レンジング応答メッセージを通じて提供できる（Ｓ１１０）。
【００２１】
ターゲット基地局は、端末の認証を成功的に終え、アップデート情報を全て送ると、端末のサービング基地局にハンドオーバー完了メッセージ（ＨＯ−ＣＭＰＴ）を通じて、ハンドオーバーの成功を知らせることができる（Ｓ１１１）。
【００２２】
その後、端末は、ハンドオーバーを行ったターゲット基地局と情報交換を行うことができる（Ｓ１１２）。
【００２３】
以上のハンドオーバー手順は、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）に従う端末と基地局との間で行われるとしている。以下、本明細書では、便宜上、ＩＥＥＥ  ８０２．１６ｅ規格を含む一般的技術が適用されるシステムを「レガシーシステム（ｌｅｇａｃｙ  ｓｙｓｔｅｍ）」と呼ぶ。また、レガシー技術が適用される端末を「ＹＭＳ（Ｙａｒｄｓｔｉｃｋ  ＭＳ）」または「レガシー端末」、レガシー技術が適用される基地局を「レガシー基地局」または「ＹＢＳ（Ｙａｒｄｓｔｉｃｋ  ＢＳ）」と、それぞれ呼ぶ。
【００２４】
また、ＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）を含む、一般的技術よりも改良された技術が適用されるシステムを、改良システムと呼ぶ。また、この改良された技術が適用される端末を「ＡＭＳ（Ａｄｖａｎｃｅｄ  ＭＳ）」または「改良端末」、改良された技術が適用される基地局を「ＡＢＳ（Ａｄｖａｎｃｅｄ  ＢＳ）」または「改良基地局」と呼ぶ。
【００２５】
ＹＢＳは、レガシーシステムに適用される物理チャネルフレーム構造を有するレガシー領域（以下、「Ｌ領域」または「ＬＺｏｎｅ」と呼ぶ）のみを有しており、ＡＢＳは、ＡＭＳのみを支援することもあり、ＡＭＳとＹＭＳを同時に支援することもある。ＡＢＳがＡＭＳのみを支援する場合（ＷｉｒｅｌｓｓＭＡＮ−ＯＦＤＭＡ  ａｄｖａｎｃｅｄ  ｓｙｓｔｅｍ  ｏｎｌｙ）に、ＡＢＳは、改良システムに適用される物理チャネルフレーム構造を有する改良端末支援領域（以下、「Ｍ領域」または「ＭＺｏｎｅ」と呼ぶ）のみを有する。ＡＭＳ及びＹＭＳの両方を支援するＡＢＳ（ＷｉｒｅｌｅｓｓＭＡＮ−ＯＦＤＭＡ  Ｒｅｆｅｒｅｎｃｅ  Ｓｙｓｔｅｍ／ＷｉｒｅｌｅｓｓＭＡＮ−ＯＦＤＭＡ  Ａｄｖａｎｃｅｄ  ｃｏ−ｅｘｉｓｔｉｎｇ  Ｓｙｓｔｅｍ、ｌｅｇａｃｙ  ｓｕｐｐｏｒｔｉｖｅ）は、混合モード（ｍｉｘｅｄ  ｍｏｄｅ）で動作できる。以下では、このような混合モード動作を、レガシーシステムがＩＥＥＥ  ８０２．１６ｅシステムであり、改良システムがＩＥＥＥ  ８０２．１６ｍシステムである場合を取り上げて説明する。混合モードで動作するＡＢＳは、レガシー領域及び改良端末支援領域の両方を有し、混合モードにおいて、アップリンク（ＵＬ）領域は、Ｌ領域とＭ領域がＴＤＭ（Ｔｉｍｅ  Ｄｉｖｉｓｉｏｎ  Ｍｕｌｔｉｐｌｅｘｉｎｇ）またはＦＤＭ（Ｆｒｅｑｕｅｎｃｙ  Ｄｉｖｉｓｉｏｎ  Ｍｕｌｔｉｐｌｅｘｉｎｇ）で分けられて動作できる。
【００２６】
なお、ＡＭＳは、ＡＢＳ及びＹＢＳの両方からサービスを受けることができる。すなわち、ＡＭＳは、改良端末支援領域及びレガシー領域のいずれか一方からサービスを受けることができ、レガシーシステムで定義されているハンドオーバー手順も、改良システムで定義されているハンドオーバー手順も行うことができる。以下では、このような混合モード動作を、レガシーシステムがＩＥＥＥ  ８０２．１６ｅシステムであり、改良システムがＩＥＥＥ  ８０２．１６ｍシステムである場合を取り上げて説明する。
【００２７】
通常、ＡＭＳは、ＡＭＳ及びＹＭＳの両方を支援するＡＢＳのＭ領域からサービスを受ける途中で、レガシー基地局にまたは他のＡＢＳのＬ領域にハンドオーバーを行わなければならない状況が発生することがある。この場合、目的基地局（すなわち、ＹＢＳまたは混合モードで動作するＡＢＳのＬ領域）へのネットワーク再進入過程は、レガシーシステムで定義されている手順に従えばよいが、それに先立って周辺レガシー（または、レガシーシステムを支援する）基地局の情報を獲得する必要がある。
【発明の概要】
【発明が解決しようとする課題】
【００２８】
本発明は、上記の一般的な技術の問題点を解決するためのもので、その目的は、改良端末が效率よく隣接レガシー基地局のシステム情報を獲得することにある。
【００２９】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【００３０】
上記課題を解決するための本発明の一実施形態に係る、レガシーシステム（Ｌｅｇａｃｙ  Ｓｙｓｔｅｍ）及び改良システム（Ａｄｖａｎｃｅｄ  Ｓｙｓｔｅｍ）が共存する移動通信システムにおいて、端末が混合モード（ｍｉｘｅｄ  ｍｏｄｅ）で動作するサービング基地局から周辺基地局の情報を受信する方法は、前記サービング基地局の第１の領域から第１のメッセージが放送される時点を指示する第１の時点情報を含む第２のメッセージを、前記サービング基地局の第２の領域から受信するステップと、前記第１の時点情報を用いて前記第１のメッセージを前記サービング基地局の第１の領域から受信するステップと、を含むことができる。ここで、前記第１のメッセージは、前記サービング基地局周辺の前記レガシーシステムのみを支援する基地局、及び前記サービング基地局周辺の前記混合モードで動作する基地局の前記第１の領域のうち少なくとも一方のシステム情報を含むことができる。
【００３１】
レガシーシステム（Ｌｅｇａｃｙ  Ｓｙｓｔｅｍ）及び改良システム（Ａｄｖａｎｃｅｄ  Ｓｙｓｔｅｍ）が共存する移動通信システムにおいて混合モード（ｍｉｘｅｄ  ｍｏｄｅ）で動作するサービング基地局から周辺基地局の情報を受信する端末装置は、プロセッサと、前記プロセッサの制御によって前記基地局と無線信号を送受信する無線通信（ＲＦ）モジュールと、を含むことができる。ここで、前記プロセッサは、前記サービング基地局の第１の領域から放送される第１のメッセージを受信するための時点情報を含む第２のメッセージが、前記サービング基地局の第２の領域から前記無線通信モジュールを通じて受信されると、前記時点情報を用いて前記第１のメッセージが前記サービング基地局の第１の領域から受信されるように制御することができ、前記第１のメッセージは、前記サービング基地局周辺の前記レガシーシステムのみを支援する基地局、及び前記サービング基地局周辺の前記混合モードで動作する基地局の前記第１の領域のうち少なくとも一方のシステム情報を含むことができる。
【００３２】
上記の実施例において、前記時点情報は、前記第１のメッセージが前記第１の領域から放送される時点を、前記第２のメッセージが受信される時点からのオフセット（ｏｆｆｓｅｔ）で表したオフセット情報、及び前記第１のメッセージが前記第１の領域から放送される間隔を指示するインターバル（ｉｎｔｅｒｖａｌ）情報のうち少なくとも一つを含むことができる。
【００３３】
この場合、前記オフセット情報及び前記インターバル情報は、フレーム単位に決定されることが好ましい。
【００３４】
また、前記レガシーシステムは、ＷｉｒｅｌｅｓｓＭＡＮ−ＯＦＤＭＡシステムであり、前記改良システムは、ＩＥＥＥ  ８０２．１６ｍシステムでよいが、これに限定されない。
【００３５】
また、前記第１の領域は、前記レガシーシステムを支援するＬ領域（ＬＺｏｎｅ）であり、前記第２の領域は、前記改良システムを支援するＭ領域（ＭＺｏｎｅ）であると好ましい。
【００３６】
なお、前記第１のメッセージは、隣公示（ＭＯＢ＿ＮＢＲ−ＡＤＶ）メッセージであり、前記第２のメッセージは、改良隣公示（ＡＡＩ＿ＮＢＲ−ＡＤＶ）メッセージであると好ましい。
（項目１）
レガシーシステム（Ｌｅｇａｃｙ  Ｓｙｓｔｅｍ）及び改良システム（Ａｄｖａｎｃｅｄ  Ｓｙｓｔｅｍ）が共存する移動通信システムにおいて、端末が混合モード（ｍｉｘｅｄ  ｍｏｄｅ）で動作するサービング基地局から周辺基地局の情報を受信する方法であって、
前記サービング基地局の第１の領域から第１のメッセージが放送される時点を指示する第１の時点情報を含む第２のメッセージを、前記サービング基地局の第２の領域から受信し、
前記第１の時点情報を用いて前記第１のメッセージを前記サービング基地局の第１の領域から受信すること、
を含み、
前記第１のメッセージは、
前記サービング基地局周辺の前記レガシーシステムのみを支援する基地局、及び前記サービング基地局周辺の前記混合モードで動作する基地局の前記第１の領域のうち少なくとも一方のシステム情報を含むことを特徴とする、周辺基地局情報受信方法。
（項目２）
前記第１の時点情報は、
前記第１のメッセージが前記第１の領域から放送される時点を、前記第２のメッセージが受信される時点からのオフセット（ｏｆｆｓｅｔ）で表したオフセット情報、及び前記第１のメッセージが前記第１の領域から放送される間隔を指示するインターバル（ｉｎｔｅｒｖａｌ）情報のうち少なくとも一つを含む、項目１に記載の周辺基地局情報受信方法。
（項目３）
前記オフセット情報及び前記インターバル情報は、フレーム単位に決定されることを特徴とする、項目２に記載の周辺基地局情報受信方法。
（項目４）
前記第１の時点情報が指示するフレームで前記第１の領域のシステム情報を受信することをさらに含む、項目３に記載の周辺基地局情報受信方法。
（項目５）
前記第１のメッセージは、前記第１の領域のシステム情報が伝送される時点を指示する第２の時点情報をさらに含み、
前記第２の時点情報を用いて前記第１の領域のシステム情報を受信することをさらに含む、項目３に記載の周辺基地局情報受信方法。
（項目６）
前記レガシーシステムは、ＷｉｒｅｌｅｓｓＭＡＮ−ＯＦＤＭＡシステムであり、
前記改良システムは、ＩＥＥＥ  ８０２．１６ｍシステムであることを特徴とする、項目１に記載の周辺基地局情報受信方法。
（項目７）
前記第１の領域は、前記レガシーシステムを支援するＬ領域（ＬＺｏｎｅ）であり、
前記第２の領域は、前記改良システムを支援するＭ領域（ＭＺｏｎｅ）であることを特徴とする、項目６に記載の周辺基地局情報受信方法。
（項目８）
前記第１のメッセージは、隣公示（ＭＯＢ＿ＮＢＲ−ＡＤＶ）メッセージであり、
前記第２のメッセージは、改良隣公示（ＡＡＩ＿ＮＢＲ−ＡＤＶ）メッセージであることを特徴とする、項目６に記載の周辺基地局情報受信方法。
（項目９）
レガシーシステム（Ｌｅｇａｃｙ  Ｓｙｓｔｅｍ）及び改良システム（Ａｄｖａｎｃｅｄ  Ｓｙｓｔｅｍ）が共存する移動通信システムにおいて混合モード（ｍｉｘｅｄ  ｍｏｄｅ）で動作するサービング基地局から周辺基地局の情報を受信する端末装置であって、
プロセッサと、
前記プロセッサの制御によって前記基地局と無線信号を送受信する無線通信（ＲＦ）モジュールと、
を含み、
前記プロセッサは、
前記サービング基地局の第１の領域から放送される第１のメッセージを受信するための時点情報を含む第２のメッセージが、前記サービング基地局の第２の領域から前記無線通信モジュールを通じて受信されると、前記時点情報を用いて前記第１のメッセージが前記サービング基地局の第１の領域から受信されるように制御し、
前記第１のメッセージは、
前記サービング基地局周辺の前記レガシーシステムのみを支援する基地局、及び前記サービング基地局周辺の前記混合モードで動作する基地局の前記第１の領域のうち少なくとも一方のシステム情報を含むことを特徴とする、端末装置。
（項目１０）
前記時点情報は、
前記第１のメッセージが前記第１の領域から放送される時点を、前記第２のメッセージが受信される時点からのオフセット（ｏｆｆｓｅｔ）で表したオフセット情報、及び前記第１のメッセージが前記第１の領域から放送される間隔を指示するインターバル（ｉｎｔｅｒｖａｌ）情報のうち少なくとも一つを含む、項目９に記載の端末装置。
（項目１１）
前記オフセット情報及び前記インターバル情報は、フレーム単位に決定されることを特徴とする、項目１０に記載の端末装置。
（項目１２）
前記プロセッサは、
前記時点情報が指示するフレームで前記第１の領域のシステム情報を獲得するように制御することを特徴とする、項目１１に記載の端末装置。
（項目１３）
前記第１のメッセージは、前記第１の領域のシステム情報が伝送される時点を指示する第２の時点情報をさらに含み、
前記プロセッサは、
前記第２の時点情報を用いて前記第１の領域のシステム情報が受信されるように制御することを特徴とする、項目１１に記載の端末装置。
（項目１４）
前記レガシーシステムは、ＷｉｒｅｌｅｓｓＭＡＮ−ＯＦＤＭＡシステムであり、
前記改良システムは、ＩＥＥＥ  ８０２．１６ｍシステムであることを特徴とする、項目９に記載の端末装置。
（項目１５）
前記第１の領域は、前記レガシーシステムを支援するＬ領域（ＬＺｏｎｅ）であり、
前記第２の領域は、前記改良システムを支援するＭ領域（ＭＺｏｎｅ）であることを特徴とする、項目１４に記載の端末装置。
（項目１６）
前記第１のメッセージは、隣公示（ＭＯＢ＿ＮＢＲ−ＡＤＶ）メッセージであり、
前記第２のメッセージは、改良隣公示（ＡＡＩ＿ＮＢＲ−ＡＤＶ）メッセージであることを特徴とする、項目１５に記載の端末装置。
【発明の効果】
【００３７】
端末は、混合モードで動作する基地局のＭ領域から放送されるメッセージを通じて、該当の基地局のＬ領域から放送される周辺レガシー基地局情報を含むメッセージを受信するための情報を獲得し、Ｌ領域から周辺レガシー基地局情報を效率よく獲得することができる。
【００３８】
本発明から得られる効果は、以上に言及した効果に制限されるものではなく、言及していない他の効果は、下の記載から、本発明の属する技術の分野における通常の知識を有する者には明確に理解されるであろう。
【図面の簡単な説明】
【００３９】
【図１】ＩＥＥＥ  ８０２．１６ｅシステムで行われるハンドオーバー手順の一例を示す図である。
【図２】本発明の一実施例に係る端末の周辺レガシー基地局情報獲得手順の一例を示す図である。
【図３】本発明の他の実施例に係る端末の周辺レガシー基地局情報獲得手順の一例を示す図である。
【図４】本発明のさらに他の実施例に係る端末の周辺レガシー基地局情報獲得手順の一例を示す図である。
【図５】本発明の他の実施例であって、送信端及び受信端構造の一例を示すブロック図である。
【発明を実施するための形態】
【００４０】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００４１】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００４２】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、ＡＢＳ（Ａｄｖａｎｃｅｄ  ＢＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  ＭＳ）、ＳＳ（Ｓｕｂｓｃｒｉｂｅｒ  Ｓｔａｔｉｏｎ）などの用語に代えてもよい。
【００４３】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００４４】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００４５】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００４６】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＩＥＥＥ  Ｐ８０２．１６ｍ文書の少なくとも一つでサーボートできる。
【００４７】
以下の説明で使われる特定用語は、本発明の理解を助けるために提供されているもので、これらの特定用語の使用は、本発明の技術的思想から逸脱しない範囲で他の形態に変更可能である。
【００４８】
（第１の実施例）
以下の説明では、ＡＭＳが、混合モード（ｍｉｘ  ｍｏｄｅ）で動作するＡＢＳのＭ領域からサービスを受けており、周辺レガシー基地局へのハンドオーバーなどのために周辺レガシー基地局の情報を必要とする場合を想定する。
【００４９】
混合モードで動作するＡＢＳにおいて、周辺レガシー基地局のシステム情報は、Ｌ領域から放送される隣公示（ＭＯＢ＿ＮＢＲ−ＡＤＶ）メッセージに含まれる。ところが、端末がＬ領域から放送される隣公示メッセージを受信するためには、Ｌ領域のシステム情報（すなわち、ＤＣＤ／ＵＣＤ）をまず獲得する必要がある。これは、ＭＯＢ＿ＮＢＲ−ＡＤＶメッセージには該当の基地局のシステム情報と異なる周辺基地局のシステム情報（すなわち、デルタ情報）が含まれ、ＡＭＳがＭＯＢ＿ＮＢＲ−ＡＤＶメッセージの受信のためにＬ領域のシステム情報を知る必要があるためである。
【００５０】
もし、ＡＭＳがＬ領域のシステム情報を他の方法（例えば、Ｌ領域から直接受信またはＭ領域から伝送されるメッセージなど）によりあらかじめ知っているとしても、Ｌ領域の隣公示メッセージは比較的長い周期で放送されるため、端末が該当のメッセージが伝送される時点を知っていない場合は、相当な（最悪の場合は、隣公示メッセージの伝送周期に相当する）遅延時間が生じてしまう。
【００５１】
そこで、本発明の一実施例では、隣公示メッセージが伝送される時点を、またはそれと一緒にＬ領域のシステム情報が伝送される時点を、Ｍ領域から端末に知らせる方法を提案する。
【００５２】
Ｌ領域のシステム情報及び隣公示メッセージが伝送される時点を、Ｍ領域から端末に伝送されるメッセージを通じて伝送することがあるが、このようなメッセージの例には、Ｍ領域の改良隣公示（ＡＡＩ＿ＮＢＲ−ＡＤＶ）メッセージがある。
【００５３】
すなわち、改良隣公示（ＡＡＩ＿ＮＢＲ−ＡＤＶ）メッセージは、一般的にＡＢＳが周辺基地局の情報を伝送するのに用いられるもので、本実施例では、該当のメッセージに、Ｌ領域のシステム情報が伝送される時点及びＬ領域の隣公示メッセージが伝送される時点に関する情報を含めることを提案する。
【００５４】
この場合、端末が、周辺にレガシー基地局またはミックスモードで動作するＡＢＳ（すなわち、ＡＢＳのＬ領域が）が存在するか否かを判断する方法として、ＡＡＩ＿ＮＢＲ−ＡＤＶメッセージにＬ領域の隣公示メッセージが伝送される時点に関する情報が含まると、端末は周辺にレガシー基地局またはＡＢＳのＬ領域が存在すると判断できる。または、ＡＡＩ＿ＮＢＲ−ＡＤＶメッセージ中に周辺レガシー基地局が存在するか否かを指示するフィールド（例えば、ｇｒｅｅｎｚｏｎｅ  ｉｎｄｉｃａｔｏｒ）が含まれ、これに基づき、端末は、周辺レガシー基地局またはＡＢＳのＬ領域が存在するか否かを判断することもできる。
【００５５】
Ｌ領域の隣公示メッセージが伝送される時点に関する情報（以下、便宜上、「参照ポインタ（ｒｅｆｅｒｅｎｃｅ  ｐｏｉｎｔｅｒ）」と称する。）は、オフセット（ｏｆｆｓｅｔ）情報とインターバル（ｉｎｔｅｒｖａｌ）情報を含むことができる。
【００５６】
オフセット情報は、参照ポインタの含まれるメッセージ（例えば、ＡＡＩ＿ＮＢＲ−ＡＤＶ）メッセージが伝送された時点からＬ領域のＭＯＢ＿ＮＢＲ−ＡＤＶメッセージが伝送される時点までのオフセットを表し、フレーム単位に設定されることが好ましい。
【００５７】
また、インターバル情報は、Ｌ領域からＭＯＢ＿ＮＢＲ−ＡＤＶメッセージが伝送される周期を表し、これもフレーム単位に設定されることが好ましい。
【００５８】
そのため、端末がオフセット情報及びインターバル情報を獲得すると、オフセット情報が指示する時点でＬ領域のＭＯＢ＿ＮＢＲ−ＡＤＶメッセージを受信することができ、オフセット情報が指示する時点で伝送されるＭＯＢ＿ＮＢＲ−ＡＤＶメッセージを受信できなかった場合であっても、インターバル情報が指示する次の週期に該当のメッセージを受信することができる。
【００５９】
上記の過程を、図２を参照してより詳細に説明する。
【００６０】
図２は、本発明の一実施例に係る端末の周辺レガシー基地局情報獲得手順の一例を示す図である。
【００６１】
図２で、サービングＡＢＳはミックスモードで動作し、ＡＭＳは、サービングＡＢＳのＭ領域からサービスを受けているとする。
【００６２】
図２を参照すると、まず、ＡＭＳは、サービングＡＢＳのＭ領域から、ＡＡＩ＿ＮＢＲ−ＡＤＶメッセージを通じて、Ｌ領域のシステム情報（ＵＣＤ／ＤＣＤ）が伝送される時点及びＭＯＢ＿ＮＢＲ−ＡＤＶメッセージが伝送される時点に関する情報を獲得できる（Ｓ２０１）。
【００６３】
次に、ＡＭＳは、ＡＡＩ＿ＮＢＲ−ＡＤＶメッセージを通じて獲得した時点情報を用いて、Ｌ領域からＬ領域のＤＣＤ／ＵＣＤを受信することができる（Ｓ２０２、Ｓ２０３）。
【００６４】
その後、ＡＭＳは、ＭＯＢ＿ＮＢＲ−ＡＤＶメッセージが伝送される時点に関する情報を用いて、Ｌ領域から、ＭＯＢ＿ＮＢＲ−ＡＤＶメッセージを受信することができる（Ｓ２０４）。
【００６５】
この方法により、ＡＭＳは、余分の遅延時間無しで效率よく周辺レガシー基地局またはＡＢＳのＬ領域に関するシステム情報を獲得することができる。
【００６６】
一方、本実施例の他の様相によれば、ＡＭＳにあらかじめＬ領域のＤＣＤ／ＵＣＤ情報が獲得されている場合は、ＡＡＩ＿ＮＢＲ−ＡＤＶメッセージにＬ領域のＤＣＤ／ＵＣＤが伝送される時点に関する情報を含めなくてすむ。
【００６７】
また、本実施例のさらに他の様相によれば、ＡＭＳは、ＭＯＢ＿ＮＢＲ−ＡＤＶメッセージの伝送される時点に関する情報が指示するフレームに含まれるＤＣＤ／ＵＣＤ情報を、Ｌ領域から獲得してもよい。
【００６８】
（第２の実施例）
本発明の他の実施例によれば、Ｌ領域のＵＣＤ／ＤＣＤ情報がＭ領域から端末に獲得されてもよい。すなわち、ＡＡＩ＿ＮＢＲ−ＡＤＶメッセージに、ＭＯＢ＿ＮＢＲ−ＡＤＶメッセージに関する参照ポインタ情報はそのまま含め、Ｌ領域からＤＣＤ／ＵＣＤ情報が伝送される時点情報の代わりに、ＤＣＤ／ＵＣＤ情報自体を含めることができる。これを、図３を参照して説明する。
【００６９】
図３は、本発明の他の実施例に係る端末の周辺レガシー基地局情報獲得手順の一例を示す図である。
【００７０】
図３で、サービングＡＢＳはミックスモードで動作し、ＡＭＳは、サービングＡＢＳのＭ領域からサービスを受けているとする。
【００７１】
図３を参照すると、まず、ＡＭＳは、サービングＡＢＳのＭ領域からＡＡＩ＿ＮＢＲ−ＡＤＶメッセージを通じてＬ領域のシステム情報（ｆｕｌｌ  ＵＣＤ／ＤＣＤ  ＩＮＦＯＲＭＡＴＩＯＮ）、及びＭＯＢ＿ＮＢＲ−ＡＤＶメッセージが伝送される時点に関する情報を獲得できる（Ｓ３０１）。
【００７２】
ＡＭＳは、ＤＣＤ／ＵＣＤ情報を既に獲得しているので、Ｌ領域のＭＯＢ＿ＮＢＲ−ＡＤＶメッセージが伝送される時点に関する情報を用いてＬ領域からＭＯＢ＿ＮＢＲ−ＡＤＶメッセージを受信することができる（Ｓ３０２）。
【００７３】
（第３の実施例）
本発明のさらに他の実施例によれば、ＭＯＢ＿ＮＢＲ−ＡＤＶメッセージに含まれる情報のうち、デルタ情報（すなわち、周辺基地局のシステム情報のうち、Ｌ領域のシステム情報と異なる情報）及びＬ領域からＤＣＤ／ＵＣＤが伝送される時点に関する情報が、ＡＡＩ＿ＮＢＲ−ＡＤＶメッセージに含まれてもよい。すなわち、本実施例によれば、端末がＭ領域からＭＯＢ＿ＮＢＲ−ＡＤＶメッセージを受信するのと同じ効果を奏する。これを、図４を参照して説明する。
【００７４】
図４は、本発明のさらに他の実施例に係る端末の周辺レガシー基地局情報獲得手順の一例を示す図である。
【００７５】
図４でサービングＡＢＳはミックスモードで動作し、ＡＭＳは、サービングＡＢＳのＭ領域からサービスを受けているとする。
【００７６】
図４を参照すると、まず、ＡＭＳは、サービングＡＢＳのＭ領域からＡＡＩ＿ＮＢＲ−ＡＤＶメッセージを通じて、Ｌ領域のシステム情報（ＵＣＤ／ＤＣＤ）が伝送される時点に関する情報及びＭＯＢ＿ＮＢＲ−ＡＤＶメッセージのデルタ情報を獲得できる（Ｓ４０１）。
【００７７】
ＡＭＳは、Ｌ領域のＭＯＢ＿ＮＢＲ−ＡＤＶメッセージを通じて獲得できるデルタ情報を、ＡＡＩ＿ＮＢＲ−ＡＤＶメッセージを通じて既に獲得したので、Ｌ領域のシステム情報（ＵＣＤ／ＤＣＤ）が伝送される時点に関する情報を用いて、Ｌ領域からＤＣＤ／ＵＣＤを受信することができる（Ｓ４０２、Ｓ４０３）。
【００７８】
上記の過程により、ＡＭＳは周辺レガシー基地局のシステム情報を效率よく獲得できる。
【００７９】
一方、本実施例の他の様相によれば、ＡＭＳにあらかじめＬ領域のＤＣＤ／ＵＣＤ情報が獲得されている場合は、ＡＡＩ＿ＮＢＲ−ＡＤＶメッセージに、Ｌ領域のＤＣＤ／ＵＣＤが伝送される時点に関する情報を含めなくてすむ。
【００８０】
以上の実施例によれば、ＡＭＳは、周辺レガシー基地局またはＡＢＳのＬ領域に関する情報を獲得でき、獲得した情報を用いて周辺レガシー基地局またはＡＢＳのＬ領域へのスキャン及び／またはハンドオーバーを行うことができる。
【００８１】
（端末及び基地局の構造）
以下、本発明のさらに他の実施例であって、上記の本発明の実施例を実行できる端末及び基地局（ＦＢＳ、ＭＢＳ）について説明する。
【００８２】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの伝送のために送信機及び受信機を含むことができる。
【００８３】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化したメッセージを解析するためのモジュール、メッセージを送受信するためのアンテナなどを含むことができる。このような送信端と受信端の一例を、図５を参照して説明する。
【００８４】
図５は、本発明の他の実施例であって、送信端及び受信端の構造の一例を示すブロック図である。
【００８５】
図５を参照すると、左側は送信端の構造を示し、右側は受信端の構造を示している。送信端及び受信端のそれぞれは、アンテナ５，１０、プロセッサ２０，３０、伝送モジュール（Ｔｘ  ｍｏｄｕｌｅ）４０，５０、受信モジュール（Ｒｘ  ｍｏｄｕｌｅ）６０，７０及びメモリー８０，９０を含むことができる。各構成要素は、互いに対応する機能を実行することができる。以下、各構成要素についてより詳細に説明する。
【００８６】
アンテナ５，１０は、伝送モジュール４０，５０で生成された信号を外部に伝送したり、外部から無線信号を受信して受信モジュール６０，７０に伝達する機能を担う。多重アンテナ（ＭＩＭＯ）機能が支援される場合には、２個以上が設けられることがある。
【００８７】
アンテナ、伝送モジュール及び受信モジュールは共に、無線通信（ＲＦ）モジュールを構成することができる。
【００８８】
プロセッサ２０，３０は、通常、移動端末機の全般動作を制御する。例えば、上述した本発明の実施例を行うためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。
【００８９】
特に、移動端末機（ＡＭＳ）のプロセッサは、ミックスモードで動作するＡＢＳのＭ領域から、該当の基地局のＬ領域から放送されるＭＯＢ＿ＮＢＲ−ＡＤＶを受信するための情報を獲得し、これを用いてＬ領域のＭＯＢ＿ＮＢＲ−ＡＤＶを受信する方法で周辺レガシー基地局またはＡＢＳのＬ領域に関するシステム情報を獲得する過程を行うための移動端末機の動作を制御することができる。
【００９０】
さらに、端末のプロセッサは、上述した実施例に開示されている動作過程の全般を制御することができる。
【００９１】
伝送モジュール４０，５０は、プロセッサ２０，３０からスケジューリングされて外部に伝送されるデータに、所定の符号化（ｃｏｄｉｎｇ）及び変調（ｍｏｄｕｌａｔｉｏｎ）を行った後、アンテナ１０に伝達することができる。
【００９２】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【００９３】
メモリー８０，９０は、プロセッサ２０，３０の処理及び制御のためのプログラムを格納したり、入／出力されるデータを臨時記憶する機能を担うことができる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【００９４】
一方、基地局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに含むことができる。
【００９５】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【００９６】
以上述べた広帯域無線接続システムにおいてレガシー基地局情報を獲得する方法及びそのための端末構造は、ＩＥＥＥ  ８０２．１６ｍシステムに適用される例を中心に説明してきたが、ＩＥＥＥ  ８０２．ｘｘシステムの他にも、フェムト基地局を有する他の様々な移動通信システムに適用することが可能である。
【図１】
0005540094.tif 000002
【図２】
0005540094.tif 000003
【図３】
0005540094.tif 000004
【図４】
0005540094.tif 000005
【図５】
0005540094.tif 000006